(57)【要約】【課題】ヤエンを複数本そのまま収納してもヤエンの釣り針同士が絡むことが無いようなヤエン用の収納ケースを低コストで提供する。【解決手段】矩形状で両端面が開閉自在な開口部３となるケース本体１と、それに収納される中仕切り部材２とからなるヤエン収納ケースであって、中仕切り部材２が、両側辺を９０°の山折りとした複数の斜面形成部と、斜面形成部の間で一の斜面形成部の一方端から隣の斜面形成部の他方端まで達する直線上を１８０°の谷折りとすることで、斜面形成部がその傾斜方向を交互に違えて並んだ第１部材に対し、斜面形成部と同じ幅の帯状の天面とその両側辺を９０°の山折りとして縦壁面を形成した第２部材の縦壁面を、第１部材の１８０°の谷折り部分に嵌め込んで形成されているヤエン収納ケース。【選択図】図１
2010017152.tif 000002
【特許請求の範囲】
【請求項１】
矩形状で長さ方向の両端面の全面が開閉自在な開口部となるケース本体と、ケース本体内に収納される中仕切り部材とからなるヤエン収納ケースであって、ケース本体の開口部が中仕切り部材により横方向に並んだ複数の収納部に区切られ、各収納部がケース本体の他方端面に向かうほど上下幅が狭まるくさび形状をしていることを特徴とするヤエン収納ケース。
【請求項２】
上記中仕切り部材が、折り曲げを保持可能な板状体からなり、長さ方向両端部に達する複数本の帯状の斜面形成部が、その間に縦壁面形成部を挟んで形成され、斜面形成部の両側辺を９０°の山折りとし、縦壁面形成部内で一の斜面形成部の一方端から隣の斜面形成部の他方端まで達する直線上を１８０°の谷折りとすることで、斜面形成部がその傾斜方向を交互に違えて並んだ第１部材と、同じく折り曲げを保持可能な板状体からなり、前記斜面形成部と同じ幅の帯状の天面とその両側辺を９０°の山折りとして縦壁面を形成した１又は２以上の第２部材とからなり、第１部材の一部の縦壁面形成部の１８０°の谷折り部分に第２部材の縦壁面を嵌め込んだ状態で形成されていることを特徴とする請求項１に記載のヤエン収納ケース。
【請求項３】
上記中仕切り部材が、斜面形成部が３本形成された第１部材と、１つの第２部材とからなり、ケース本体両端の各開口部にて収納部が３つずつ設けられていることを特徴とする請求項２に記載のヤエン収納ケース。
【発明の詳細な説明】
【技術分野】
【０００１】
この発明は、イカ釣りに使用する釣具のヤエンを複数本収納できるヤエン収納ケースに関するものである。
【背景技術】
【０００２】
イカ釣りには種々の技法があり、その中にヤエン釣りというものがあり、この技法は、ヤエンと呼ばれる釣り針を有する道具を道糸に沿って滑らせてイカに引っかけて釣り上げるものである。
【０００３】
図９は、ヤエン３０を示すものであり、針金、ステンレス等の金属からなり、約３０〜５０ｃｍ程度の長さのシャフト３１の一方側先端及び少し内側に本体側に反り返った釣り針３２が多数本取り付けられており、また、シャフト３１の中間及び後端部に、本体と垂直方向に伸びる支柱３３の先に道糸を横から掛けて通すフック３４が設けられており、支柱３３は後端部に行くほど長くなっており、このヤエン３０は全体として、シャフト３１の先端の釣り針３２の部分、シャフト１の後端の支柱３３との交点部分、及び、当該支柱３３の先端のフック３４の部分を頂点とする直角三角形の形状をしている。
【０００４】
図１０は、ヤエン３０を用いるイカ釣りの仕掛けの概要を簡単に示すものであり、道糸３５の先端にアジ等の生餌３６を結び付けて海中に泳がしておき、イカが生餌３６に取り付いてアタリがあれば、適宜なタイミングで道糸３５の根元側にてヤエン３０のフック３４を道糸３５に引っかけて、道糸３５に沿ってヤエン３０を生餌３６に取り付いたイカまで滑り落とし、ヤエン３０の釣り針３２にイカを引っかけて釣り上げるようにする。
【０００５】
ところで、ヤエン３０は長さが３０〜５０ｃｍと比較的長く、金属製で全体を折り畳んだりすることができないものであり、小さめの釣り道具箱には入らず、また、大きめの釣り道具箱や釣り竿ケースに入るとしても、他の物と一緒にすると釣り針３２の部分で他の道具や竿に傷をつけてしまうことがある。
【０００６】
そこで、ヤエン３０のみを他の物と分けて収納するヤエン専用ケースが用いられてきており、専用ケースにヤエンのみを入れることで、他の釣り道具や釣り竿を傷付けることは無くなるが、１回のイカ釣りでは、ヤエン３０を予備等を含めて複数本を用意するのが一般的であり、複数本のヤエン３０を１つの容器に同時に収納すると、釣り針３２同士が絡まり、ヤエン３０の容器からの取り出しが困難になったりすることがある。
【０００７】
また、ヤエン３０のケースから出し入れの際は、釣り針３２の部分に気をつけながら手で取り出したり収納したりするのであるが、複数本のヤエン３０を収納していた場合は、取り出しや収納の際に他のヤエン３０の釣り針３２に不用意に触ってしまい手に怪我を負うおそれがあった。
【０００８】
そこで、ヤエン全体のうち、特に釣り針３２の部分のみを覆うことによって、怪我を生じないようにし、ケース内に複数本収納しても他のヤエンと絡むことを防止したヤエン専用のヤエン収納容器も提案されている（例えば、特許文献１参照）。
【特許文献１】特開２００２−１７１８８５号公報
【発明の開示】
【発明が解決しようとする課題】
【０００９】
ところで、特許文献１の容器はあくまでヤエンの釣り針部分のみを覆う容器であり、ヤエンの大部分が露出しているので、別途ヤエンの複数本を収納する専用ケースが必要となり、専用ケースと共に、ヤエン毎にこの特許文献１の容器を用意する必要があり、そのためのコストもかかってくる問題があった。
【００１０】
勿論、特許文献１のような釣り針部分を覆う容器を用いずに、専用ケースに収納することもできるが、複数本収納時の取り出しや収納の際の、ヤエン同士の絡みや手に怪我をするという問題を解決する適当なケースは無かった。
【００１１】
この発明は上記のような課題を解決し、ヤエンを複数本収納可能でありつつ、ヤエンをそのまま収納してもヤエンの釣り針同士が絡むことが無いようなヤエン用の収納ケースを低コストで提供することを課題とする。
【課題を解決するための手段】
【００１２】
上記のような課題を解決するため、請求項１の発明は、矩形状で長さ方向の両端面の全面が開閉自在な開口部となるケース本体と、ケース本体内に収納される中仕切り部材とからなるヤエン収納ケースであって、ケース本体の開口部が中仕切り部材により横方向に並んだ複数の収納部に区切られ、各収納部がケース本体の他方端面に向かうほど上下幅が狭まるくさび形状をしている構成を採用したヤエン収納ケースである。
【００１３】
ここでケース本体は長さ方向の両端部の面が全面、開閉自在となり、この開口部に中仕切り部材で仕切られた複数の収納部が開口しており、各収納部に１つずつヤエンを収納することで、複数のヤエン同士が絡まったりするのを防止する。
【００１４】
また、各収納部はケース本体の他方端面に向かうほど上下幅が狭まるくさび形をしているのであるが、図９のヤエン３０の釣り針３２側を奥にして、最外側の支柱３３を開口部側とすることで、このくさび形状の収納部にヤエン３０を効率よく収納できる。よって、ケース本体の全長はヤエン３０のシャフト３１の長さより若干長くし、開口部の上下寸法を最外側の支柱３３より若干大きくしておく。
【００１５】
特に、ケース本体の両端部を開口部とし、両側からくさび形状の複数の収納部を配置して全体として矩形状のケースを構成しているので、各収納部は、自然とケース外側に面した面と開口部の面が直角となる直角三角形になり、ここに収納する図９で示すヤエン３０の形状も、シャフト３１と最後端側の支柱３３とが直角となった直角三角形であるので、シャフト３１をケースの外側に向けて、最後端側の支柱３３を開口部にくるように収納すれば、収納部の大きさにぴったりのヤエンを収納することができる。
【００１６】
なお、中仕切り部材の構成としては、例えば、ケース本体の長さと同じ長さを有し、長手方向の一方端を絞り込んだくさび形状で、他方端部を開口して１の収納部を形成するくさび状部材を複数個用意し、これらくさび状部材の２つを開口部が反対側となるように重ねたものを更に横に並べてくさび状部材の集合体を矩形状に形成し、この集合体を中仕切り部材として用いることができ、この中仕切り部材をケース本体の開口部から内部に収納することでヤエン収納ケースが完成する。
【００１７】
請求項２の発明は、上記請求項１に記載のヤエン収納ケースにおいて、上記中仕切り部材が、折り曲げを保持可能な板状体からなり、長さ方向両端部に達する複数本の帯状の斜面形成部が、その間に縦壁面形成部を挟んで形成され、斜面形成部の両側辺を９０°の山折りとし、縦壁面形成部内で一の斜面形成部の一方端から隣の斜面形成部の他方端まで達する直線上を１８０°の谷折りとすることで、斜面形成部がその傾斜方向を交互に違えて並んだ第１部材と、同じく折り曲げを保持可能な板状体からなり、前記斜面形成部と同じ幅の帯状の天面とその両側辺を９０°の山折りとして縦壁面を形成した１又は２以上の第２部材とからなり、第１部材の一部の縦壁面形成部の１８０°の谷折り部分に第２部材の縦壁面を嵌め込んだ状態で形成されている構成を採用したものである。
【００１８】
折り曲げを保持可能は板状体とは、金属、紙、合成樹脂等が考えられ、特定の材料に限定されるものではないが、その重量や耐久性、及び加工の容易さを考慮すれば合成樹脂製で折り曲げた時にその形状を保持できるものが好ましく、折り曲げ角度も１８０°の折り返しにも切断されずに耐える材質であればよい。また、折り曲げの際、前もって折り曲げ部分を凹溝に形成したり折り曲げ線上に沿って凹部や貫通孔を連続して形成して折り曲げ易くしておいてもよい。
【００１９】
斜面形成部の両側辺を９０°の山折りとすることで、斜面形成部の下方に両側を縦壁形成部で囲まれた収納部が形成される。また、縦壁面形成部内で一の斜面形成部の一方端から隣の斜面形成部の他方端まで達する直線上、即ち、２つの斜面形成部に挟まれた長方形状となっている縦壁面形成部の１つの対角線上を１８０°の谷折りとすることで、谷折り部分を下辺として、両側に傾斜角度を交互にした三角形の縦壁が形成され、隣り合う斜面形成部はその傾斜角度は同じでその傾斜方向が交互になる。
【００２０】
なお、斜面形成部が３つ以上の場合、１つの斜面形成部の両側の１８０°谷折り部分により形成される三角形が対照形状となるようにしてゆけば、複数の斜面形成部がその傾斜を交互に違えて横に並ぶことになる。
【００２１】
前述のように斜面形成部の下方には上を斜面形成部、横を三角形の縦壁面形成部で囲まれた空間が生じており、ケース本体に入れれば下方がケース本体の内壁に囲まれた閉鎖空間が生じるが、斜面形成部の上方はケース本体に入れた場合、ケース本体の内壁により上面及び一番外側の側面は閉鎖されるが、隣り合う横の斜面形成部との仕切りは無く、閉鎖空間にはならない。そこで、斜面形成部と同じ幅の天面とその両側を９０°山折りとして縦壁面を形成した第２部材を、所定の斜面形成部に被せて、縦壁面を第１部材の１８０°谷折り部分に挿入して嵌め込む。
【００２２】
この第２部材の目的は、上方で隣り合う斜面形成部の間に縦壁面を形成するためのもので、斜面形成部の数によって必要な数が変わってくる。斜面形成部が２つの場合は１つの第２部材をどちらかの斜面形成部に被せ、斜面形成部が３つの場合は、中央の斜面形成部に被せ、斜面形成部が４つの場合は、２つの第２部材を端から２つ目と３つ目、又は２つ目と４つ目の斜面形成部に被せ、斜面形成部が５つの場合は、端から２つ目と４つ目の斜面形成部に被せればよく、要するに、隣り合う斜面形成部の間に第２部材の縦壁面が１つでも介在するようにすればよい。
【００２３】
第１部材と第２部材からなる中仕切り部材において、その長さをケース本体の長さと一致させ、複数の斜面形成部の幅の合計をケース本体の開口部における幅と一致させ、傾斜面の高さ（折り曲げた縦壁面形成部の高さ）や第２部材の縦壁面の高さをケース本体の開口部における高さと一致させれば、中仕切り部材はケース本体内に嵌め込まれた際に中仕切り部材の縦壁面形成部や天面がケース本体の内壁との摩擦力によりケース本体の内部に固定されることになる。
【００２４】
請求項３の発明は、上記請求項２に記載のヤエン収納ケースにおいて、上記中仕切り部材が、斜面形成部が３本形成された第１部材と、１つの第２部材とからなり、ケース本体両端の各開口部にて収納部が３つずつ設けられている構成を採用したものである。
【００２５】
ヤエンを用いたイカ釣りの際、通常１回の釣りで予備も含めてヤエンは４〜５本が必要とされ、傾斜面を３つ設けて収納部が６つのヤエン収納ケースは、釣りの時にヤエンを収納して持ち運ぶケースとして必要十分な大きさとなる。
【発明の効果】
【００２６】
以上のように、請求項１の発明によると、１つのケースにてヤエンを複数本収納可能となると共に、各ヤエンは独立した収納部に収納されるので、ヤエンの収納時と取り出し時に、他のヤエンと絡まることがないと共に、各収納部がくさび形状をしているので、硬質で三角形状のスペースを要するヤエンの収納に最適となると共に、くさび形状の収納部をケース両端から向かい合わせに配置することで、矩形状のケース本体内に効率よく収納部が配置される。
【００２７】
また、各収納部を奥になるほど狭くなるくさび形状とし、ケース本体の両方の端部を開口部として配置することで、ヤエンの釣り針は収納部の奥側にしまい込まれ、ヤエンの収納や取り出しの際は、自然にヤエンの釣り針と反対側の支柱を手で摘むことになり、ヤエンの釣り針で手に怪我を負うおそれがない。
【００２８】
請求項２の発明によると、板状体を所定の部分で折り曲げて組み合わせるだけでくさび形状の収納部を得られる中仕切り部材を構成でき、複雑な金型や製造工程を必要とせずに、低コストでヤエン収納ケースを得ることができる。
【００２９】
請求項３の発明によると、１つのケースにてヤエンの収納部が６つ得られ、通常１回の釣りで予備も含めて４〜５本が必要とされるヤエンを十分に収納でき、ケースの大きさも適度となり、釣りに持って行くヤエン収納ケースとしても最適となる。
【発明を実施するための最良の形態】
【００３０】
以下、この発明のヤエン収納ケースの実施形態を、図１乃至図８に基づいて説明する。
図１は、この発明のヤエン収納ケースの一実施形態を示すものであり、ヤエン（図示しない）を収納可能なように、収納すべきヤエンの長さより若干大きな寸法Ｌを有する長尺状で、長さ方向両端面が全面開放と閉鎖とに開閉自在となる矩形状のケース本体１と、このケース本体１内に収納される中仕切り部材２とからなる。
【００３１】
このケース本体１と中仕切り部材２は、例えばＰＥ、ＰＰ、ＰＥＴ等の合成樹脂のうち、比較的硬質な板状の合成樹脂製部材を折り曲げ成型して構成してあり、特に合成樹脂に限定されるものではないが、折り曲げ加工が容易であり折り曲げ後にその形状が保持できるものが好ましく、本実施形態では、硬質の合成樹脂製シート体に折り曲げ予定線に沿って凹溝、又は微小な孔や凹部を連続させて罫線を形成し、それに沿って折り曲げるようにしてある。
【００３２】
また、ケース本体１や中仕切り部材２の色彩については、透明なものから、半透明、又は色彩が施された不透明なものであってもよいが、特にケース本体１が透明や半透明であればヤエンの収納の有無が開口部を開けずに確認できるという利点がある。
【００３３】
ケース本体１は板状体を折り曲げて箱形に形成したもので、その長さ方向両端面は、全面が開口する縦の寸法Ｈ、横の寸法Ｗの開口部３，３となり、開口部３の左右に閉鎖片４，４と、開口部４の下辺から先端に面ファスナー５を有する係止片６とが設けられており、左右の閉鎖片４，４を開口部３に重ねて、更に、係止片６を重ねて、係止片６の先端の面ファスナー５をケース本体１の上面に設けた面ファスナー７と係止することで、ケース本体１の端部開口部３の閉鎖を行う。
【００３４】
図２は、中仕切り部材２を構成する主要部材の第１部材１０の展開平面図である。
図示のものは台形状をしており、長さ方向はケース本体１の長さＬとほぼ同じ寸法であり、長さ方向端部側は、まず図示上方の短い辺がケース本体１の端面開口部３の横方向の寸法Ｗに、縦方向の寸法Ｈを２倍したものを加えた寸法で、図示下方の長い辺が同じくケース本体１の端面の横方向の寸法Ｗに、縦方向の寸法Ｈを４倍したものを加えた寸法となっている。
【００３５】
この第１部材の長さ方向に沿って両端に達する３つの帯状の斜面形成部１１，１２，１３が形成されている。各斜面形成部１１，１２，１３の幅は、ケース本体１の開口部３の横方向の寸法Ｗの約１／３の幅となっており、これら各斜面形成部１１と１２、及び１２と１３間の距離は、ケース本体１の開口部３の縦方向の寸法Ｈとほぼ同じ長さの距離を保っている。
【００３６】
各斜面形成部１１，１２，１３の両側辺は、後で９０°の角度の山折りとなる山折り線ａが形成されており、更に、各斜面形成部間において、斜面形成部１１の一方端部から、斜面形成部１２の他方端部へ、及び斜面形成部１２の他方端部から斜面形成部１３の一方端部へと、後に１８０°の角度に谷折りに折り返す予定の谷折り線ｂが形成されている。
【００３７】
そして、これら谷折り線１５により区分けされた三角形の部分が形成され、この部分を縦壁面形成部１４，１５，１６，１７とする。更に、斜面形成部１１と１３の外側の三角形の部分も縦壁面形成部１８，１９とする。
【００３８】
図３における第１部材１０は、図２に示した第１部材１０の前記山折り線ａと谷折り線ｂをそれぞれ９０°の山折りと１８０°の谷折りにして形成して構成されており、斜面形成部１０，１１，１２がその傾斜方向を交互にして隣り合うように形成され、縦壁面形成部１４乃至１９は全て垂直方向となっている。
【００３９】
この第１部材１０に対して、第２部材２０を組み合わせることで中仕切り部材２が完成する。
第２部材２０は、ケース本体１や第１部材１０とほぼ同じ長さを有する長方形で、第１部材１０の斜面形成部１１乃至１３とほぼ同じ幅を有する天面２１と、９０°の山折り線ａにより下方へ連なる高さがケース本体１の開口面３の縦方向の寸法Ｈとほぼ同じ寸法の縦壁面２２，２３とからなり、一方の縦壁面２２を折り曲げ形成された第１部材の斜面形成部１２の横の、縦壁面形成部１４と１５が接している隙間に挿入し、他方の縦壁面２３を縦壁面形成部１６と１７が接している隙間に挿入する。
【００４０】
この第２部材２０の役割は、第１部材１０のみでは中仕切り部材２により形成される複数の収納部のそれぞれの密閉性が不十分となるからである。即ち、第１部材１０により仕切られる部分のうち、各斜面形成部１１，１２，１３を底面としてこれらより上に形成される収納部において、斜面形成部１１と１２、及び、１２と１３は長さ方向中央部付近で隣の斜面形成部と仕切りなしに隣り合い、仮にヤエンを収納しようとする場合、隣の収納部のヤエンと接触したりして収納及び取り出しに支障が生じるおそれがあるからであり、第２部材の縦壁面２２と２３が、これら斜面形成部１１乃至１３の上面に形成される収納部の横方向の縦壁となる。
【００４１】
図４は、第１部材１０と第２部材２０を組み合わせて形成した中仕切り部材２を示すものであり、図５はそれを下側から見たものである。
【００４２】
この中仕切り部材２を図１に示すようにケース本体１にその一方の開口部３から挿入して収納することにより、ケース本体１内は、他と遮蔽された６つの独立の空間となった収納部に分割される。図６は中仕切り部材２の収納後の一方開口部３付近の断面図である。
【００４３】
中仕切り部材２の長さはケース本体の長さＬと略等しく、幅は開口部３の横幅Ｗと略等しく、高さは開口部の高さＨと略等しいため、中仕切り部材２をケース本体１内に収納すれば、きっちり嵌め込まれて中で中仕切り部材２が動くことが無く、また、各山折り線ａや谷折り線ｂの部分で折り曲げ部が広がって元に戻ろうとする力でケース本体１の内壁を押し、更に、天面２１や縦壁面形成部１８や１９がケース本体１と面接触しているので、それらの要因による摩擦力により、中仕切り部材２は別途固定手段を設けなくても、ケース本体１内に固定されることになる。
【００４４】
なお、中仕切り部材２を構成する材料の寸法のうち、図２で示す斜め方向に走る１８０°の谷折り線ｂの全長が折り曲げ後の第１部材１０の長さとなり、これをケース本体１の長さＬと一致させるのがよいが、傾斜角がゆるやかであるので、折り曲げ前の台形形状の高さ（９０°山折り線ａの全長）をケース本体１の長さＬと一致させてもよい。なぜなら収納されるのが硬質のヤエンであり、各収納部内で多少の誤差による隙間が生じても問題は生じない。
【００４５】
中仕切り部材２によりケース本体１内に形成される６つの収納部を、一方の端部側からＳ１，Ｓ２，Ｓ３とし、他方端部側から形成されるものをＳ４，Ｓ５，Ｓ６として説明する。なお、図４、図５のケース本体１への収納前の状態の中仕切り部材２において、各収納部Ｓ１〜Ｓ６となる部分の空間を同じ符号で表示しておく。
【００４６】
収納部Ｓ１は、上面を斜面形成部１１とし、両側面を縦壁面形成部１８と１４に囲まれており、下面をケース本体１の内壁とした空間であり、奥に行くほど斜面形成部１１が下がっていくことで狭くなっている。
【００４７】
収納部Ｓ２は、下面を斜面形成部１２とし、両側面を第２部材の縦壁面２２と２３に囲まれ、上面を第２部材の天面２１とした空間であり、奥に行くほど斜面形成部１２が上がっていくことで狭くなっている。
【００４８】
収納部Ｓ３は、上面を斜面形成部１３とし、両側面を縦壁面形成部１７と１９に囲まれ、下面をケース本体１の内壁とした空間であり、奥に行くほど斜面形成部１３が下がることで狭くなっている。
【００４９】
収納部Ｓ４は、下面を斜面形成部１１とし、両側面をケース本体１の内壁と第２部材の縦壁面２２に囲まれ、上面をケース本体１の内壁とした空間であり、奥に行くほど斜面形成部１１が上がっていくことで狭くなっている。
【００５０】
収納部Ｓ５は、上面を斜面形成部１２とし、両側面を縦壁面形成部１５と１６に囲まれ、下面をケース本体１の内壁とした空間で、奥に行くほど斜面形成部１２が下がっていくことで狭くなっている。
【００５１】
収納部Ｓ６は、下面を斜面形成部１３とし、両側面をケース本体１の内壁と第２部材の縦壁面２３に囲まれ、上面をケース本体１の内壁とした空間で、奥に行くほど斜面形成部１３が上がっていくことで狭くなっている。
【００５２】
収納部Ｓ１〜Ｓ６については、以上の通り、各収納部がケース本体１の内壁面や中仕切り部材２を構成する斜面形成部１１乃至１３、縦壁面形成部１４乃至１９、天面２１、縦壁面２２，２３により囲まれて他の収納部から閉鎖され、かつ、全ての収納部が奥に行くほど狭くなるくさび形の形状をしているので、硬質の三角形状であるヤエンの収納部として最適となる。
【００５３】
以上説明したように、この実施形態のヤエン収納ケースは、ケース全体を合成樹脂製として折り曲げて形成したので、コストのかかる材料が要らず、複雑な工程を経ずに低コストで有用なヤエン収納ケースを得られるものであるが、この発明のヤエン収納ケースは、実施形態のものに限定されず、この発明の範囲内において適宜設計変更して実施することができる。
【００５４】
例えば、中仕切り部材２を構成する第１部材は、実施形態では図２のように台形形状のものを使用したが、台形ではなく上辺も下辺と同じ寸法の長方形としておいてもよい。その場合、図２における縦壁面形成部１８と１９の外側の部分を１８０°谷折り線ｂとして折り曲げればよい。
【００５５】
そのような実施形態を取る場合、前もって材料の板状体を長方形に切断するだけでよく台形に切り取る手間がかからないと共に、縦壁面形成部１８と１９の外側の三角形部分がケース本体１の内壁に当接して谷折り線ｂの折り曲げのバネ力でケース本体１の内壁を押し固定する力を強力にすると共に、この三角形部分の存在により斜面形成部１１や１３の下方端部がケース内で動いて浮き上がるのを防止するといった利点がある。
【００５６】
また、斜面形成部の数は実施形態のように３つ（収納部は６つ）とするのが、ヤエン収納ケースとしては適しているが、数もこれに限定されるものではなく、使用用途等により適宜変更して実施できる。
【００５７】
その他、この実施形態では、ケース本体１と中仕切り部材２を合成樹脂製の板状体で構成したが、ケース本体１は特に実施形態と同じものに限定されず、一体成形の合成樹脂やその他の材質のもの（金属、防水性の紙、木製等）であってもよく、要するに中仕切り部材２を収納可能で、両端部が開閉自在としたものであればよい。
【００５８】
図７は、この発明のヤエン収納ケースの他の実施形態を示すものであり、図１乃至図６で示した実施形態と同一部分は同一の符号を付して説明する。
【００５９】
この実施形態についても、ケース本体１は先の実施形態と同様に板状体を折り曲げて箱形に形成したもので、長さがＬで、長さ方向両端面は、全面が開口する縦の寸法Ｈ、横の寸法Ｗの開口部３，３となり、閉鎖片４，４と、面ファスナー５を有する係止片６とにより開口部３を開閉自在に閉鎖している点も同じである。
【００６０】
この実施形態では、ケース本体１に収納する中仕切り部材８を、内部に１つの収納部を形成したくさび状部材９を複数個集合させて形成した点が、前の実施形態と相違する。
【００６１】
図８は、中仕切り部材８を示すもので、図８（Ａ）は中仕切り部材８を構成するくさび状部材９の斜視図で、図８（Ｂ）はくさび状部材９を集合させて構成した中仕切り部材８の斜視図である。
【００６２】
図８（Ａ）に示すように、くさび状部材９は、ケース本体の長さＬと同じ長さを有し、長手方向の一方端部を絞り込んだくさび形状で、他方端部を開口して内部空間を１つの収納部としている。
【００６３】
図８（Ｂ）のように、くさび状部材９を複数個（図示では６つ）用意し、これらくさび状部材９の２つを開口部が反対側となるように重ね、更に横に並べてくさび状部材９の集合体を中仕切り部材８として用いることができ、この中仕切り部材８を構成する各くさび状部材９の個々の内部空間が、ヤエンの収納部Ｓ１〜Ｓ６を形成することになる。
【００６４】
なお、くさび状部材９の配置は、先の実施形態のように隣り合う傾斜面が交互になるようにしてもよいし、隣り合う傾斜面を揃えるようにしても、どちらでもよい。
【００６５】
この中仕切り部材８を、図７に示すようにケース本体１にその一方の開口部３から挿入して収納することにより、ケース本体１の両端の開口部３から、それぞれ３つの収納部にアクセス可能なヤエン収納ケースが形成される。
【００６６】
なお、くさび状部材９が複数個集合した中仕切り部材８は矩形状であるので、この矩形状の寸法をケース本体１の内部寸法と一致させておけば、中仕切り部材８や各くさび状部材９はケース本体１内部で動かず、更に、ケース本体１の内部壁面とくさび状部材９の外壁面との摩擦力で固定さるので、くさび状部材９相互を接着したりすることは行わなくてもよい。
【００６７】
この図７及び図８に示す実施形態についても、図示のものに限定されるものではなく、この発明の範囲内において適宜設計変更して実施することができ、くさび状部材９も６つに限定されるものではなく、使用用途等により適宜変更して実施できる。
【図面の簡単な説明】
【００６８】
【図１】この発明のヤエン収納ケースの一実施形態の分解斜視図である。
【図２】中仕切り部材を構成する第１部材を展開した状態の平面図である。
【図３】中仕切り部材の分解斜視図である。
【図４】中仕切り部材の斜視図である。
【図５】中仕切り部材を下方から見た斜視図である。
【図６】ヤエン収納ケースの開口部付近の断面図である。
【図７】この発明のヤエン収納ケースの他の実施形態の分解斜視図である。
【図８】（Ａ）は中仕切り部材を構成するくさび状部材の斜視図、（Ｂ）はくさび状部材を集合させた中仕切り部材全体の斜視図である。
【図９】ヤエンの正面図である。
【図１０】ヤエンを用いたイカ釣りの仕掛けを示す概略図である。
【符号の説明】
【００６９】
１  ケース本体
２  中仕切り部材
３  開口部
４  閉鎖片
５，７  面ファスナー
６  係止片
８  中仕切り部材
９  くさび状部材
１０  第１部材
１１，１２，１３  斜面形成部
１４，１５，１６，１７，１８，１９  縦壁面形成部
２０  第２部材
２１  天面
２２  縦壁面
３０  ヤエン
３１  シャフト
３２  釣り針
３３  支柱
３４  フック
ａ  ９０°山折り線
ｂ  １８０°谷折り線
Ｓ１，Ｓ２，Ｓ３，Ｓ４，Ｓ５，Ｓ６  収納部
【図１】
2010017152.tif 000003
【図２】
2010017152.tif 000004
【図３】
2010017152.tif 000005
【図４】
2010017152.tif 000006
【図５】
2010017152.tif 000007
【図６】
2010017152.tif 000008
【図７】
2010017152.tif 000009
【図８】
2010017152.tif 000010
【図９】
2010017152.tif 000011
【図１０】
2010017152.tif 000012